(57)【要約】【課題】支柱の筒状ポケット部に挿入された挿入部の抜けを防止でき、且つ容易に設置および解除が可能な固定具およびこの固定具を備えた仮設足場を提供する。【解決手段】横架材９０の少なくとも一端に装着される受け部１と、前記受け部１の下部に設けられ、前記支柱９の外面に取り付けられた筒状ポケット部８に上方から挿入され、下端部２０が前記筒状ポケット部８から下方に突出し、下端部２０には一方の側部から前記筒状ポケット部８への挿入方向と直交する横方向に沿って切り欠かれたガイド用スリット３１を有する挿入部２と、前記ガイド用スリット３１に係合し前記筒状ポケット部８に対して横方向にスライド可能なスライド部５２を有し、かつ前記スライド部５２が前記ガイド用スリット３１の末端まで到達した状態で両端の一方または両方が前記筒状ポケット部８の両側部より外側に位置する長さを有する抜け防止部５と、を備えた固定具。【選択図】図１
2019039147.tif 000002
【特許請求の範囲】
【請求項１】
支柱に横架材を取付けるための固定具であって、
前記横架材の少なくとも一端に装着される受け部と、
前記受け部の下部に設けられ、前記支柱の外面に取り付けられた筒状ポケット部に上方から挿入され、下端部が前記筒状ポケット部から下方に突出し、下端部には一方の側部から前記筒状ポケット部への挿入方向と直交する横方向に沿って切り欠かれたガイド用スリットを有する挿入部と、
前記支柱の外面と前記挿入部の下端部との間に挿入され、この挿入状態で前記ガイド用スリットに係合し前記筒状ポケット部に対して横方向にスライド可能なスライド部を有し、かつ前記スライド部が前記ガイド用スリットの末端まで到達した状態で両端の一方または両方が前記筒状ポケット部の両側部より外側に位置する長さを有する抜け防止部と、
を備えた固定具。
【請求項２】
前記挿入部の下端部が、前記支柱の外面側に位置する第１板状部と、この第１板状部と離隔して対向した第２板状部とを備え、前記第１板状部と第２板状部との間に軸部が架設されると共に、前記抜け防止部が前記軸部に回転可能でかつスライド自在に係合する長穴を有しており、
前記長穴の一端が前記軸部に係合した状態で、前記抜け防止部は、前記第１板状部と第２板状部との間に収容される位置から、前記筒状ポケット部に対して横方向に平行な位置に回転可能である請求項１に記載の固定具。
【請求項３】
前記挿入部の下端部が、挿入部と一体形成されている請求項１または２に記載の固定具。
【請求項４】
前記挿入部の下端部が、挿入部と接合されている請求項１または２に記載の固定具。
【請求項５】
立設された複数の支柱と、隣接する支柱間に掛け渡される横架材と、前記支柱に横架材を固定する請求項１〜４のいずれかに記載の固定具とを備えた仮設足場。
【請求項６】
前記横架材が手摺である請求項５に記載の仮設足場。
【発明の詳細な説明】
【技術分野】
【０００１】
本発明は、支柱に横架材を取り付けるための固定具およびこの固定具を備えた仮設足場に関する。
【背景技術】
【０００２】
一般に低層住宅から中層住宅やビルなどを建設または補修工事を行う場合、仮設足場を組み立てて作業を行う。この仮設足場の中で支柱にブラケットおよび手摺を取り付け、ブラケット上に足場板を敷いた仮設足場が知られている。
【０００３】
この仮設足場のうち、楔緊結式足場は、上面に受け口を設けた筒状の受け部を溶接などにより外周面に取り付けた支柱と、楔体が端部に装着された、ブラケットあるいは手摺などの横架材とを含み、この楔体を支柱の筒状ポケット部に上方から挿入し、ハンマーなどで打ち込んで組み立てられる。
【０００４】
支柱の筒状ポケット部に挿入されている挿入部は、例えば下方から力がかかると容易に筒状ポケット部から抜けてしまうという問題がある。そのため、特許文献１には、筒状ポケット部に挿入された挿入部の抜けを防止するための抜け防止機構（ロック機構）を設けた足場用梁部材（足場部材）が提案されている。
【０００５】
しかしながら、特許文献１に記載の足場部材は、部品点数が多く複雑な構造であり、且つ挿入部の筒状ポケット部からの抜けを防止する機構を解除する際に、煩雑な作業が必要となる。
【先行技術文献】
【特許文献】
【０００６】
【特許文献１】特開２０１２−５７３３６号公報
【発明の概要】
【発明が解決しようとする課題】
【０００７】
本発明の課題は、支柱の筒状ポケット部に挿入された挿入部の抜けを防止でき、且つ容易に設置および解除が可能な固定具およびこの固定具を備えた仮設足場を提供することである
【課題を解決するための手段】
【０００８】
本発明者は、上記課題を解決すべく鋭意検討した結果、本発明を完成するに至った。すなわち、本発明は以下の構成からなる。
（１）支柱に横架材を取付けるための固定具であって、前記横架材の少なくとも一端に装着される受け部と、前記受け部の下部に設けられ、前記支柱の外面に取り付けられた筒状ポケット部に上方から挿入され、下端部が前記筒状ポケット部から下方に突出し、下端部には一方の側部から前記筒状ポケット部への挿入方向と直交する横方向に沿って切り欠かれたガイド用スリットを有する挿入部と、前記支柱の外面と前記挿入部の下端部との間に挿入され、この挿入状態で前記ガイド用スリットに係合し前記筒状ポケット部に対して横方向にスライド可能なスライド部を有し、かつ前記スライド部が前記ガイド用スリットの末端まで到達した状態で両端の一方または両方が前記筒状ポケット部の両側部より外側に位置する長さを有する抜け防止部と、を備えた固定具。
（２）前記挿入部の下端部が、前記支柱の外面側に位置する第１板状部と、この第１板状部と離隔して対向した第２板状部とを備え、前記第１板状部と第２板状部との間に軸部が架設されると共に、前記抜け防止部が前記軸部に回転可能でかつスライド自在に係合する長穴を有しており、前記長穴の一端が前記軸部に係合した状態で、前記抜け防止部は、前記第１板状部と第２板状部との間に収容される位置から、前記筒状ポケット部に対して横方向に平行な位置に回転可能である上記（１）に記載の固定具。
（３）前記挿入部の下端部が、挿入部の本体と一体形成されている上記（１）または（２）に記載の固定具。
（４）前記挿入部の下端部が、挿入部の本体と接合されている上記（１）または（２）に記載の固定具。
（５）立設された複数の支柱と、隣接する支柱間に掛け渡される横架材と、前記支柱に横架材を固定する上記（１）〜（４）のいずれかに記載の固定具とを備えた仮設足場。
（６）前記横架材が手摺である上記（１）に記載の仮設足場。
【発明の効果】
【０００９】
本発明の固定具は、抜け防止部が筒状ポケット部より上方に挿入部が抜けることを防ぎ、かつ抜け防止部のスライド部が挿入部の下端部との間で支柱を圧接し、固定具の抜けを容易に防止できる。
さらに、複数の支柱間に、固定具を装着した横架材を架け渡した仮設足場は、固定具を容易に固定・解除できるため、仮設足場の設置・除去が容易となる。
【図面の簡単な説明】
【００１０】
【図１】本発明の一実施形態に係る固定具を示す斜視図であり、（Ａ）は固定具の開放状態を示し、（Ｂ）は固定状態を示す。
【図２】本発明の一実施形態に係る支柱を示す正面図である。
【図３】（Ａ）および（Ｂ）はそれぞれ図１に示す固定具を示す正面図であり、（Ｃ）は（Ｂ）の下端部を示す部分側面図である。
【図４】（Ａ）〜（Ｃ）はそれぞれ本発明の一実施形態に係る固定具の使用手順を示す上面図である。
【図５】（Ａ）〜（Ｃ）はそれぞれ本発明の一実施形態に係る固定具の使用手順を示す正面図である。
【図６】本発明の別の実施形態に係る固定具を示す斜視図であり、（Ａ）は固定具の開放状態を示し、（Ｂ）は固定状態を示す。
【図７】本発明の一実施形態に係る固定具を用いた仮設足場を示す説明図である、
【発明を実施するための形態】
【００１１】
以下、本発明の一実施形態に係る固定具について、図面を参照して説明する。
図１および図３に示す固定具１００は、横架材９０の少なくとも一端に装着される受け部１と、この受け部１の下部に設けられ、支柱９の外周面に設けた筒状ポケット部８の受け口８１に上方から挿入される挿入部２と、支柱９の外面と挿入部２の下端部２０との間に挿入され、挿入部２の下端部２０に設けたガイド用スリット３１に係合し、筒状ポケット部８に対して横方向にスライド可能なスライド部５２を設けた抜け防止部５とを備える。
【００１２】
支柱９は棒状部材であり、その外周面には、固定具１００を挿入するため、受け口８１を上面に設けた筒状ポケット部８を備える。横架材９０は、その少なくとも一端に受け部１と接続されて固定具１００を装着する。この固定具１００が支柱９の外面の筒状ポケット部８に挿入されることにより、支柱９に対して横方向に横架材９０が接続される。
【００１３】
図２に示すように、筒状ポケット部８は、金属板などを断面略コ字形に折曲して筒状に形成され、支柱９の周方向に取り付けたものである。この筒状ポケット部８は固定具１００の挿入部２を下方向へ突出できるのであれば、形状は特に限定されない。支柱９に横架材９０を直交させて取り付ける場合、筒状ポケット部８も同様に、筒状ポケット部８が支柱９の周囲に略９０度間隔で４つ設置されるのが好ましい。このとき、４つの筒状ポケット部は、相対向する一対の筒状ポケット部８と、この一対の筒状ポケット部８に直交する他の一対の筒状ポケット部８０とを含む。この一対の筒状ポケット部８は、他の一対の筒状ポケット部８０と支柱９の高さ方向に取り付け位置が異なってもよい。また、４つの筒状ポケット部は、支柱９の高さ方向に複数設けられていてもよい。
【００１４】
固定具１００の受け部１は、横架材９０を着脱自在に装着するための穴部である。この受け部１は下部に筒状ポケット部８に挿入可能な挿入部２を備える。受け部１には、装着した横架材９０にさらにネジやピンを取り付け固定するためのネジ穴１１が設けられていてもよい。この受け部１の径は挿入部２の横幅より大きく形成されているのがよい。なお、受け部１は後述する挿入部２と一体形成されていてもよいし、あるいは挿入部２と別々に形成された後、溶接や接着などで接続されてもよい。
【００１５】
図１（Ａ）に示すように、挿入部２は、受け部１の下部に設けられ、支柱９の外面に取り付けられた筒状ポケット部８に上方から挿入される。この挿入部２は、筒状ポケット部８から下方に突出した下端部２０と、下端部２０に設けたガイド用スリット３１とを有する。さらに、下端部２０は、抜け防止部５を挿通するための貫通孔３０を両側部に有する。また、下端部２０は、軽量化のために断面略コ字形の枠体であってもよい。なお、下端部２０とは筒状ポケット部８から下方に突出した部分を指す。この下端部２０は、挿入部２と一体形成されていてもよいし、あるいは挿入部２と溶接や接着などで接合されていてもよい。挿入部２と下端部２０とを接合する場合、例えば、受け部１および挿入部２と、下端部２０をそれぞれ任意のものを組み合わせて固定具１００を作成することができる。
【００１６】
図３（Ｃ）に示すように、下端部２０は、支柱９の外面側に位置する第１板状部２１と、この第１板状部と離隔して対向した第２板状部２２とを備える。第１板状部２１と第２板状部２２は下端部２０の上下面あるいは側面で接合または一体形成されている。なお、第１板状部２１と第２板状部２２との組み合わせ方は、下端部２０を形成するものであれば特に制限されない。
【００１７】
第１板状部２１と第２板状部２２との間には軸部４が架設される。この軸部４は、抜け防止部５に設けた長穴６を挿通し、且つ軸部４に対して抜け防止部５が回転可能で、かつ長穴６に沿ってスライド可能に設けられる。軸部４としては、ピンやボルト等が挙げられる。軸部４の設置方法は特に限定されず、例えば第１板状部２１および第２板状部２２の外部に孔（図示せず）を設け、そこからピンを挿し込み、溶接などで固定するか、あるいはボルトを前記孔に挿し込み、ナット（図示せず）で固定すればよい。また、軸部４の設置位置は、受け部１の中心点（ネジ穴１１の中心）から垂直に下ろした延長線上にあるのがよい。
【００１８】
ガイド用スリット３１は、下端部２０に少なくとも１つ設けられ、筒状ポケット部８の下方において、下端部２０の一方の側部から、筒状ポケット部８への挿入方向と直交する横方向に沿って切り欠かれたスリットである。このガイド用スリット３１には、抜け防止部５のスライド部５２がスライド可能に係合する。
【００１９】
図１（Ｂ）に示すように、抜け防止部５は、支柱９の外面と下端部２０との間に、下端部２０に対して横方向に挿入され、固定具１００を支柱９に固定する部材である。抜け防止部５は、板材５１と、この板材５１の側面に設けられたスライド部５２とを含む断面Ｌ字形の部材である。板材５１とスライド部５２とは一体形成されていてもよいし、それぞれの部材を溶接や接着して形成したものであってもよい。
【００２０】
図１（Ａ）および図３（Ａ）に示すように、抜け防止部５の板材５１は、抜け防止部５の非使用時（固定具１００の非固定時）には、第１板状部２１と第２板状部２２との間に収容される。そのため、下端部２０は、筒状ポケット部８を挿通し、下方に突出することができる。なお、スライド部５２は、非使用時に下端部２０の側面部と面一になるように切り込み部２３から露出していてもよい。この切り込み部２３により、使用者はスライド部５２を持ちやすくなる。
【００２１】
図３（Ａ）に示すように、板材５１は、長手方向に長穴６を有している。この長穴６により、抜け防止部５は軸部４と回転可能かつスライド自在に係合する。この長穴６の端部の径は軸部４を強く固定できるよう他の部分より縮径されていてもよい。
【００２２】
抜け防止部５の長さは、スライド部５２がガイド用スリット３１の末端まで到達した状態で、抜け防止部５の両端の一方または両方が筒状ポケット部８の両側部より外側に位置する長さである。
具体的には、図３（Ａ）に示す長穴６の一端が軸部４に係合した状態で、抜け防止部５は、第１板状部２１と第２板状部２２との間に収容される位置から、筒状ポケット部８に対して横方向に平行な位置に回転することができる（図３（Ｂ））。具体的には、軸部４を中心として、抜け防止部５が略９０度回動した後、長穴６の一端に位置する軸部４を長穴６の他端までスライドさせ、スライド部５２をガイド用スリット３１に係合させて、且つ抜け防止部５を下端部２０の側面部の貫通孔３０より突出させる。図３（Ｂ）に示すように、固定具１００の固定状態で、抜け防止部５の両端は、下端部２０の両側部に設けた貫通孔３０より突出し、且つ筒状ポケット部８より外側にある。そのため、下端部２０が筒状ポケット部８より上方へ抜けることを防ぐ。さらに、スライド部５２が支柱９を下端部２０との間で圧接して固定具１００を固定状態にすることができる。
【００２３】
この固定具１００の材質は特に限定されないが、例えば金属、樹脂、木材などが挙げられ、好ましくは鉄、アルミニウムなどの金属を用いるのがよい。また、上記の材質を組み合わせてもよい。
【００２４】
次に、図４、５を用いて、固定具１００を使用する手順を説明する。なお、上述した部材についての説明は省略する。
【００２５】
まず、図４（Ａ）および図５（Ａ）に示すように、固定具１００の受け部１にブラケットあるいは手摺などの横架材９０を取り付けた後、下端部２０の第１板状部２１と第２板状部２２との間に抜け防止部５が収容された状態で、挿入部２を筒状ポケット部８に挿入し、下端部２０を筒状ポケット部８の下方から突出させる。このとき、必要があれば固定具の上からハンマーなどで叩いて挿入部２を筒状ポケット部８に挿入してもよい。
【００２６】
次に、図４（Ｂ）および図５（Ｂ）に示すように、下端部２０より、抜け防止部５を、軸部４を中心に略９０度回転させ、筒状ポケット部８に対して横方向に平行な位置まで持ち上げる。次に、矢印に示すように、長穴６に沿って軸部４を他端へスライド移動させ、抜け防止部５のスライド部５２を、ガイド用スリット３１へ係合させる。
【００２７】
最後に、スライド部５２をガイド用スリット３１に係合させたまま、抜け防止部５の端部を下端部２０の側面の貫通孔３０より突出させると、図４（Ｃ）および図５（Ｃ）に示すように、抜け防止部５の両端が筒状ポケット部８より外側に突出し、且つスライド部５２が下端部２０との間で支柱９を圧接した状態となり、固定具１００が固定される。固定された固定具１００は、例えば下方から上方への衝撃を受けたとしても、抜け防止部５が筒状ポケット部８の下端に当接して、容易に外れることはない。
【００２８】
固定具１００を筒状ポケット部８から取り外す場合は、上記の手順を逆に行えばよい。すなわち、抜け防止部５をスライドさせてスライド部５２をガイド用スリット３１から引き出せばよい。これにより、抜け防止部５は下端部２０内に収容されるので、その後、固定具１００を筒状ポケット部８から引き抜けばよい。
【００２９】
（別の実施形態）
図６を参照して、本発明の別の実施形態について説明する。なお、図６に示す固定具１０１のうち、上記した固定具１００と同じ作用を有する部材には同一の符号を付して説明を省略する。
【００３０】
図６（Ａ）および（Ｂ）に示す固定具１０１は、横架材９０の少なくとも一端に装着される受け部１と、この受け部１の下部に設けられ、支柱９の外周面に設けた筒状ポケット部８の受け口８１に上方から挿入される挿入部２と、支柱９の外面と挿入部２の下端部２０との間に挿入され、挿入部２の下端部２０に設けたガイド用スリット３１に係合し、筒状ポケット部８に対して横方向にスライド可能なスライド部５２を設けた抜け防止部５０とを備える。
【００３１】
図６（Ｂ）に示すように、抜け防止部５０は、支柱９の外面と挿入部２の下端部２０との間に、下端部２０に対して横方向に挿入され、固定具１０１を支柱９に固定する。抜け防止部５０のスライド部５２は、ガイド用スリット３１に係合し、貫通孔３０より突出する。この抜け防止部５０は、挿入部２および下端部２０から分離可能である。
【００３２】
この固定具１０１を支柱９へ取り付けるには、まず、受け部１に横架材９０を装着し、挿入部２を筒状ポケット部８へ挿入する。次に、筒状ポケット部８の下方から突出させた下端部２０のガイド用スリット３１にスライド部５２が係合し、且つ挿入部２の挿入方向と直交する方向に、抜け防止部５０を挿し込む。最後に、下端部２０の貫通孔３０より抜け防止部５０の先端を突出させると、支柱９への固定具１０１の固定が完了する。なお、解除する際は、抜け防止部５０のスライド部５２をガイド用スリット３１より引き抜けばよい。
【００３３】
（仮設足場）
図７は、本発明の一実施形態に係る仮設足場７００の一例を示している。この仮設足場７００は、立設された複数の支柱９と、隣接する支柱９間に掛け渡される横架材９０と、支柱９に横架材９０を固定する固定具１００とを備える。なお、筋交い７はブラケット（図示せず）で支柱９に接続されていてもよい。
【００３４】
固定具１００は、仮設足場７００にて支柱９と横架材９０とを接続し固定するため、横架材９０の端部に装着される。この横架材９０としては、例えば手摺、踏板を取り付けるためのブラケットならびに単管（転ばし）などが挙げられる。支柱９の外面には筒状ポケット部８が略９０度毎に４つ設けられているので、固定具１００はこの筒状ポケット部８と接続し、支柱９から四方向へ横架材９０を架け渡すことができる。
【００３５】
本発明の実施形態に係る固定具１００は、使用時（固定時）には、抜け防止部５により筒状ポケット部８を下端で固定し筒状ポケット部８からの挿入部２の抜けを容易に防止することができる。さらに固定具１００は支柱９の筒状ポケット部８への着脱も容易であるので、仮設足場の設置・解体も容易となる。なお、上記した固定具１００は固定具１０１であってもよい。
【００３６】
以上、本発明の実施形態に係る固定具を詳細に説明したが、本発明は、以上の実施形態に限定されるものではなく、特許請求の範囲に記載の範囲内で種々の改良や変更が可能である。例えば、スライド部５２が板材５１の両面に略Ｔ字形になるように設けられ、これらと係合するガイド用スリット３１が下端部２０の両面に設けられていてもよい。
【符号の説明】
【００３７】
１      受け部
２      挿入部
２０    下端部
２１    第１板状部
２２    第２板状部
２３    切り込み部
３０    貫通孔
３１    ガイド用スリット
４      軸部
５      抜け防止部
５１    板材
５２    スライド部
６      長穴
７      筋交い
８      筒状ポケット部
８１    受け口
９      支柱
９０    横架材
１００、１０１  固定具
７００  仮設足場
【図１】
2019039147.tif 000003
【図２】
2019039147.tif 000004
【図３】
2019039147.tif 000005
【図４】
2019039147.tif 000006
【図５】
2019039147.tif 000007
【図６】
2019039147.tif 000008
【図７】
2019039147.tif 000009